(57)【要約】【課題】取り扱い易く、風などによってめくられることないように固定することが可能で、工事用の資材や機械装置等を確実に養生することを可能とした養生シートを提供する。【解決手段】矩形状の遮水シート２と、遮水シート２よりも大きな面積を有する網材３と、網材３の各辺に縫い付けられた固定用ロープ４，４，…とを有する養生シート１であって、遮水シート２の少なくとも四隅が網材３に縫い付けられていて、固定用ロープ４には遮水シート２の大きさや材質を示す色が着色されている。【選択図】図１
0003179746.tif 000002
【実用新案登録請求の範囲】
【請求項１】
矩形状の遮水シートと、
前記遮水シートよりも大きな面積を有する網材と、を有する養生シートであって、
前記遮水シートの少なくとも四隅が前記網材に固定されていることを特徴とする養生シート。
【請求項２】
前記網材が矩形状を呈し、前記網材の各辺には固定用ロープが固定されていることを特徴とする、請求項１に記載の養生シート。
【請求項３】
前記固定用ロープには、前記遮水シートの諸元を示す目印が付されていることを特徴とする、請求項２に記載の養生シート。
【考案の詳細な説明】
【技術分野】
【０００１】
本考案は、養生シートに関する。
【背景技術】
【０００２】
資材等を雨風から保護する場合には、合成樹脂シート（いわゆるブルーシート）で、覆うのが一般的である。
このような、合成樹脂シートは、ロープ等で縛り付けておくものの、風等によりめくり上げられる場合がある。
【０００３】
また、資材等の飛散防止を目的とする場合には、ネットで覆う場合がある。ところが、ネットのみでは、資材を雨や日光から保護することはできない。
【０００４】
そのため、資材を合成樹脂シートで覆うとともにロープ等で縛り付けて、その上からネットを被せて固定することで、資材を雨風や日光から保護するとともに、合成樹脂シート等の飛散を防止する場合がある。
【０００５】
ところが、工事現場等では、作業の開始時と終了時に、養生シートを被せる作業または剥がす作業を行う必要があるため、合成樹脂シートとネットとを併用する場合には、作業に手間がかかってしまう。
【０００６】
また、合成樹脂シートとネットとを併用する場合には、合成樹脂シートの大きさに対応するネットを選定する必要があるが、合成樹脂シートとネットが畳んである状態では、大きさが判明しないため、組み合わせを決定する際には、一旦広げる必要があった。
【考案の概要】
【考案が解決しようとする課題】
【０００７】
本考案は、前記の問題点を解決することを目的とするものであり、取り扱い易く、資材等を確実に養生することを可能とした養生シートを提供することを課題とする。
【課題を解決するための手段】
【０００８】
前記課題を解決するために、本考案の養生シートは、矩形状の遮水シートと、前記遮水シートよりも大きな面積を有する網材と、を有する養生シートであって、前記遮水シートの少なくとも四隅が前記網材に固定されていることを特徴としている。
【０００９】
かかる養生シートによれば、遮水シートと網材とが予め一体となっているため、養生シートを被せる作業や剥がす作業に要する手間を軽減することができるとともに、遮水シートと網材との適切な組み合わせを選定するための手間も省略することができる。
【００１０】
また、前記網材が矩形状を呈し、前記網材の各辺には固定用ロープが固定されていてもよい。
さらに、前記固定用ロープには前記遮水シートの諸元（大きさや材質等）を示す目印が付されていてもよい。
【００１１】
かかる養生シートによれば、固定用のロープ等を別途用意する必要がない。また、固定用ロープの目印を目視するだけで、養生シートが折り畳まれた状態でも、その大きさを確認することができるため、作業の手間を省略することができる。
【考案の効果】
【００１２】
本考案の養生シートによれば、作業の手間を軽減することができるとともに、資材等を確実に養生することを可能となる。
【図面の簡単な説明】
【００１３】
【図１】本考案の実施形態に係る養生シートを示す斜視図である。
【図２】図１の養生シートを折り畳んだ状態を示す斜視図である。
【考案を実施するための形態】
【００１４】
本考案の実施形態に係る養生シート１は、例えば、工事現場等における資材養生や法面養生等に利用されるものであって、図１に示すように、遮水シート２と、網材３と、固定用ロープ４とを備えて構成されている。なお、養生シート１の用途は限定されるものではない。  
【００１５】
遮水シート２は、平面視矩形状の軟質のシート材により構成されている。
本実施形態では、遮水シート２として、合成樹脂製のシート（いわゆるブルーシート）を使用する。
【００１６】
なお、遮水シート２の材質（タイプ）は限定されるものではなく、用途に応じて適宜選択して使用すればよい。例えば、養生した状態で内容物を視認したい場合には、透明のシートを使用すればよい。また、機械装置等を養生する場合には、水の浸透を防止し、通気を可能とした透湿防水シートを遮水シート２として使用することで、湿気を排出させる構成としてもよい。
【００１７】
本実施形態の遮水シート２は、全周囲（四辺）が網材３に縫い付けられている。なお、遮水シート２は、網材３との一体化が可能であれば、必ずしも全周囲が網材３に縫い付けられている必要はない。例えば、遮水シート２の四隅だけを網材３に縫い付けてもよいし、遮水シート２の各辺において間欠的に縫い付けてもよい。
【００１８】
また、遮水シート２は、その対角線に沿って、網材３に縫い付けてあってもよい。
また、遮水シート２と網材３の固定方法は限定されるものではなく、例えば、接着してもよいし、フック等の他の固定手段を介して固定してもよい。
【００１９】
網材３は、ポリプロピレンロープを組み合わせることにより構成されたいわゆる養生ネットであって、平面視矩形状に形成されている。なお、網材３を構成するロープの材質や材料は限定されるものではない。
【００２０】
網材３は、遮水シート２よりも大きな面積を有していて、遮水シート２と組み合わせた状態で、遮水シート２の四辺から網材３の周縁部分が張り出している。すなわち、網材３の各辺の長さは、遮水シート２の各辺の長さよりも大きくなっていて、遮水シート２と網材３とを重ね合わせたときに遮水シート２の周囲に網材３だけからなる枠状の領域が形成される。
【００２１】
網材３の各辺には、固定用ロープ４が１本ずつ縫い付けられている。
固定用ロープ４は、ポリプロピレンロープからなり、養生シート１を固定する（縛り付ける）際に使用するものである。なお、固定用ロープ４の材質は限定されない。
【００２２】
固定用ロープ４の長さは網材３の辺よりも長く、固定用ロープ４の両端部は網材３の角から張り出している。つまり、養生シート１（網材３）の四隅には、それぞれ２本の固定用ロープ４，４の端部が張り出している。
【００２３】
なお、固定用ロープ４は、必ずしも網材３の四辺に縫い付けられている必要はない。例えば、網材３の対向する２辺に縫い付けてもよいし、網材３の四隅に短いロープを縫い付けてもよい。また、固定用ロープ４の固定方法は限定されるものではなく、例えば、網材３に接着してもよいし、固定用治具を介して網材３に固定してもよい。また、固定用ロープ４は、網材３に固定することなく、網材３の開口部分に通しておいてもよい。さらに、固定用ロープ４は、必要に応じて設ければよく、省略してもよい。
【００２４】
固定用ロープ４の適所（着色部５）には、養生シート１の大きさや材質等（諸元）に応じて着色（目印）が施されている。
つまり、固定用ロープ４には、遮水シート２や網材３の大きさの違いにより異なる色（目印）が着色されていたり、遮水シート２の材質（例えば、透明なシートや透湿防水シート）の違いにより異なる色が着色されていたりする。
【００２５】
なお、着色部５の位置や数は限定されるものではなく、固定ロープ４の先端や中間部でも良いし、所定間隔毎に複数箇所であってもよい。また、遮水シート２等の大きさや材質に応じた色のロープを固定ロープ４として使用してもよい。
【００２６】
本実施形態の養生シート１によれば、遮水シート２と網材３とが予め一体となっているため、資材や機械装置等の養生対象物に対して、一度に遮水シート２と網材３とを被せることまたは剥がすことができる。そのため、従来は２回に分けて行っていた作業（遮水シート２と網材３（ネット）を個別に被せる作業または剥がす作業）を１回で行うことが可能となり、作業の手間を大幅に削減することができる。
【００２７】
また、予め、適切な大きさの遮水シート２と網材３とが組み合わされているため、遮水シート２の大きさに応じた網材３を選定する手間も省略することができる。
また、予め適切な大きさの遮水シート２と網材３が組み合わされているため、使用時の見栄えもよい。
【００２８】
遮水シート２は、網材３に一体に縫い付けられているため、遮水シート２と網材３との間でずれることがない。
【００２９】
網材３は、遮水シート２よりも大きな面積を有しているため、網材３により養生対象物の全体を覆っても、遮水シート２の端部からの通気性を確保した状態で、養生することが可能となる。また、養生シート１同士を連結する際に網材３を利用すれば、作業を簡易の行うことができる。
【００３０】
網材３の遮水シート２の端部からの張り出し部分を、養生対象物にひっかけることで、養生シート１を養生対象物に固定することができる。
また、遮水シート２に網材３の重さが加わるので、遮水シート２のみの場合に比べて飛散し難く、さらに、網材３の各辺に縫い付けられた固定用ロープ４を利用することで、養生シート１の固定（飛散防止）をより確実に行うことができる。
【００３１】
固定用ロープ４により、図２に示すように、折り畳んだ養生シート１を結ぶことができる。
固定用ロープ４には、遮水シート２の大きさや材質等を示す色が着色されているため、養生シート１が折りたたまれた状態であっても、その大きさ等を把握することができる。そのため、養生の目的や養生対象物の大きさ（広さ）等に応じた養生シート１を選定を、簡易に行うことができる。
【００３２】
固定用ロープ４を利用することで、養生シート１同士の連結を簡易に行うことができるため、法面養生等のように、広範囲にわたって養生を行う場合の作業を容易に行うことができる。
【００３３】
遮水シート２として、透明な材質のものを使用すれば、養生した状態で、養生対象物を確認することができるため、必要な資材等を簡易に探し出すことができる。
また、養生シート２として、透湿防水シートを使用すれば、養生シート１内に湿気が溜まることを防止し、機械装置や鋼材等の養生対象物が錆びることを防止することができる。
【００３４】
養生シート１を折り畳む際に、網材３が遮水シート２の内側となるように折り畳むことで、網材３が他の資材等に引っ掛かることを防止することができる。そのため、片付けの手間や、持ち運びの手間を省略することができる。
【００３５】
また、資材等の養生時は、遮水シート２が下となるように養生シート１を配置することで、網材３が資材等に引っかかることを防止し、養生シート１の撤去時の手間を省略することができる。
【００３６】
以上、本考案に係る実施形態について説明した。しかし、本考案は、前述の実施形態に限られず、前記の各構成要素については、本考案の趣旨を逸脱しない範囲で、適宜変更が可能である。
【００３７】
前記実施形態では、遮水シート１に固定された固定用ロープ４を利用して養生シート１を固定する場合について説明したが、養生シート１は、他のロープ等を利用して固定してもよい。
【００３８】
網材３は、遮水シート２よりも大きな面積を有していれば、必ずしも矩形である必要はない。
【００３９】
前記実施形態では、養生シート１の大きさや材質等に応じて、固定用ロープ４に色が着色されている場合について説明したが、養生シート１の大きさや材質等に応じて、網材３の色を変化させてもよい。
【符号の説明】
【００４０】
１  養生シート
２  遮水シート
３  網材
４  固定用ロープ
【図１】
0003179746.tif 000003
【図２】
0003179746.tif 000004